(57)【特許請求の範囲】
【請求項１】
本体（２１）と蓋（７０）とを具備し、この本体（２１）は、蓄積バッグ（２）を受けるように配設された廃棄物用入口開口を有し、前記蓋（７０）は、これに移動可能に設けられた蓄積バック切断手段（６１）と、成形体（７１）とを有し、前記蓋（７０）は、閉成位置と、蓋が前記本体（２１）に留められている開成位置との間で、本体（２１）に移動可能に装着され、前記廃棄物用入口開口は、前記閉成位置で前記蓋により囲まれた外方に広がった上端部を有し、この上端部と成形体（７１）とは、前記蓋が前記閉塞位置にあるときに、前記蓋（７０）に対して前記蓄積バッグが動かないように保持し、前記蓄積バッグ切断手段は、前記蓄積バッグを切断するように動作する、廃棄物貯蔵装置。
【請求項２】
前記蓋は、移動可能な取着物により、前記閉成位置と開成位置との間で案内される請求項１の廃棄物貯蔵装置。
【請求項３】
前記蓋は、前記本体に枢支されている請求項２の廃棄物貯蔵装置。
【請求項４】
前記蓋は、この蓋に対する前記蓄積バッグ切断手段の相対移動を固定するための留め手段をさらに具備する請求項１ないし３のいずれか１の廃棄物貯蔵装置。
【請求項５】
前記蓄積バッグ切断手段は、前記蓋に回転可能に装着されている請求項１ないし４のいずれか１の廃棄物貯蔵装置。
【請求項６】
前記蓋の成形体は、前記閉成位置で、前記廃棄物用入口開口に対して前記蓄積バッグを保持するように配設されている請求項１ないし５のいずれか１の廃棄物貯蔵装置。
【請求項７】
前記蓄積バッグは、廃棄物が前記廃棄物用入口開口を通して投下されるのに従って、パックから引き出される所定の長さの可撓性チューブから形成され、また、前記パックは、回転により廃棄物の周りに閉じ込め体を形成するように、前記本体に対して回転可能である請求項１ないし６のいずれか１の廃棄物貯蔵装置。
【請求項８】
廃棄物のための前記蓄積バッグ（２）は、廃棄物用入口開口を通って延びるように位置された請求項１ないし７のいずれか１の廃棄物貯蔵装置での廃棄物の蓄積方法であり、この方法は、蓋（７０）を開ける工程と、蓄積バッグ（２）内に廃棄物を位置させる工程と、蓋（７０）を閉じる工程とを具備し、蓄積バッグ（２）を切断するときには、切断手段（６０）は、バッグを切断するように蓋並びにバッグに対して移動され，また、前記蓄積バック（２）は、蓋に配置された前記成形体（７１）により、手動による支持を必要としないで、蓋（７０）に対して動かないように支持される方法。
【発明の詳細な説明】
【０００１】
【発明の属する技術分野】
本発明は、廃棄物貯蔵装置並びにこの装置の駆動方法に関する。
【０００２】
【従来技術】
既知の廃棄物貯蔵装置の１つが英国特許Ｎｏ．２２０６０９４に開示され、以下に図１を参照して説明される。この装置は、おむつや他の個人的な廃棄物材のような廃棄物を処分するため貯蔵するのに、特に、利用可能である。プラスチック製のコンテナー２１には、内フランジ２２が形成されており、この内フランジからはシリンダー２３が上方に延出している。多数の周方向に襞の付いた可撓性チューブ２の内側に位置する筒状のコアからなるパックは、このコア１が前記フランジ２２の上に載置され、かつシリンダー２３に回転可能な状態で、コンテナー２１内に配設されている。対象物、この好ましい〇では赤ん坊の使い捨ておむつの一連のパッケージを形成するようにパックを使用し始めるために、可撓性チューブ２の上端が上に光れて結び目２４を形成するように縛られる。そして、そして、この閉じられた端部は、ひかりこのチューブの所定の長さの一部に沿って形成されるパッケシージの底部を形成することができる。これは、閉じられた端部を、コア１並びにシリンダー２３内で、詰められる対象物により、下方に押すことにより果たされる。これがなされるのに従って、可撓性チューブ２は、襞が付けられた長さ部分からコア１の上縁２５（図１）を越えて摺動する。この上縁は、可撓性チューブが損傷しないように、充分に円滑に形成されている。前記コア１は、約４インチ（１０．１６ｃｍ）の径であり、勿論、可撓性チューブ２の径は、これよりも実質的に大きい。
【０００３】
対象物が、同心的なコア２とシリンダー２３との中にうまく投下されたときに、パッケシージは、符号３０（図１）で示すように、対象物の上方で可撓性チューブ２を捻ることにより閉じられる。これは、コア１をこれの上の残りの襞の付いたチューブと共にコアの軸を中心として回転させることにより、なされる。ユニット３１は、このような動作を果たさせるように形成されており、コア１の上部で円錐形の内面５１内で適合したテーパを有する外面が形成され、ぶらさがった環状フランジ５０を有する。パッケージは、この手動による捻り動作の間、コンテナー２１に固定されてパッケシージと係合するように径方向内方に突出した複数のばね５２により、コアの軸を中心とする回転が阻止されている。これらばねコンテナー２１に周方向に互いに等しい間隔で配設されている。上方の延びた突条を区分している浅い溝が、捻り動作の間、可撓性チューブが摺動しないように、前記円錐形の内面５１に形成されている。
【０００４】
上記手段により、互いに接続されて閉じられた一連のパッケシージ３５が形成され、これは、襞の付いたチューブ２が使い尽くされるまで続けられ得る。図１に示す構成において、パッケシージは、適当な形式の手動留め体により通常は閉じられている枢支されたベース５３により底が閉じられたコンテナーの貯蔵部３６の中に集められる。廃棄物処理施設に搬送するために貯蔵部３６からパッケシージを取り出したい場合には、最上のパッケシージが、これの捻られて閉じられた部分３０の上方で切断され、かつ、枢支されたベース５３が開かれて、貯蔵部の下端からパッケシージが取り出される。パッケシージ相互間の捻られたシールが緩んだ場合には、蓋並びに新たに形成された最上の捩られたシールが、臭気、蒸気、並びにガスが周囲の環境に逃げることを防止する。しかし、チューブ２が高密度ポリエチレンで形成されている場合には、捻られた接合部は、しっかりと締まり続けることが見出だされている。
【０００５】
この装置の改良されたものは、英国特許Ｎｏ．２２９２７２５に開示され、ここでは図２を参照して説明される。入口エッジ１５を備え、外方に広がったファンネル１２がコア１の上端にテーパジョイント１６により着脱可能に接続されていることが見られるであろう。このファンネルは、装置の衛生性を改良している。可撓性チューブ２が、対象物が下方に押されるのに従って、ファンネル１２の入口エッジ１５上を通って引かれ、ファンネルトの広がった部分内にチューブの新たで衛生的な層を与えている。前記ファンネル１２は、なとしての捻られた閉塞部３０を得るために回転される。別のばね構造体１４が図２に見られ、これは英国特許Ｎｏ．２２９２７２５に充分に説明されている。
【０００６】
前記英国特許Ｎｏ．２２０６０９４並びに２２９２７２５は、両者とも、破棄のためにパッケシージを取り出すことが望まれる場合に、チューブを切断するための切断機構がさらに、示している。図３に示すように、切断手段は、ユニット３１内に組み入れられている。このユニットは、コア１もしくはファンネル１２の上部の中へとロックするフランジ５０を備えた外側リング５５と、このリング５５内で回転可能なディスク５６トを有する２区分ユニットである。前記ディスク５６は、円形の透明シート５７を有し、このシートを通して、使用者は、相対的に停止のフランジ５０の内側の狭いフランジ相互間に位置する水平フランジ５８と垂直フランジ５９（図１）とを備えた断面が直角のリング内にセットされた、捩られた可撓性チューブを見ることができる。このリング５８，５９の角の所に、互いに１２０°の間隔を有して３つのフインガー片６０が固定されており、これらフィンガー片は透明シート５７の上方に延びている。カッターユニット６１が、前記フランジ５８の下側に固定されている。このユニットは、上方弓形部６２と下方テーパ剪断シュ６３とを有し、これらの間には、これらの長手方向に沿う大部分の間にギャップが形成されている。このギャップの閉じた端部近くには、金属カッター刃６４が、相対的に静止のフランジ５０に可能な限り接近するようにして、固定されている。この結果、前記刃は、蓋３１が取り除かれたときに、使用者の指に傷がつかないように覆われている。蓋のための有効な材料は、プラスチックもしくは金属である。
【０００７】
前記カッターユニット６１を操作するためには、前記ディスク５６は、フインガー片６０、他の適当なフインガー片によって充分に回転される。この移動によって、前記テーパシュ６３は、最上の捻り部３０からコア１に向かって外方に広がる、可撓性チューブの径方向に襞が付けられて張られた部分６５に穴が開けられる。ディスク５６をさらに回転することにより、チューブ材の周囲で、コア１上に残っている可撓性チューブから最上のパッケシージが、カッター刃６４により綺麗に切り離される。
【０００８】
【発明が解決しようとする課題】
しかし、これら既知の切断装置は、比較的面倒で複雑並びに／もしくは損失もしくは失敗をする可能性がある。
【０００９】
【課題を解決するための手段】
本発明に係われば、本体と蓋とを具備し、この本体は、蓄積バッグを受けるように配設された廃棄物用入口を有し、前記蓋は、これに移動可能に設けられた蓄積バック切断手段と、この切断手段の動作のために蓋が閉塞位置にあるときに、蓋に対して蓄積バッグが動かないように保持するように配設された成形体とを有し、前記蓋は、閉成位置と、蓋が前記本体に留められている開成位置との間で、本体に移動可能に装着されている、廃棄物貯蔵装置が提供される。
好ましくは、前記蓋は、切断手段の位置付けを簡単にするように移動可能な装着手段により、開成位置と閉成位置との間で案内される。
【００１０】
前記廃棄物用入口開口は、閉成位置で蓋により囲まれた外方に広がった上端部を有し、廃棄物用入口開口の囲み体と廃棄物の装入での衛生性を向上させている。
前記蓋は、蓋に対する前記切断手段の相対移動を固定するための留め手段をさらに好ましくは具備し、装置をしっかりと干渉を防ぐよにしている。
前記切断手段は、蓋に回転可能に装着され得る。
前記蓋の成形体は、閉成位置で、前記廃棄物用入口開口に対して蓄積バッグを保持するように配設され得る。
前記蓄積バッグは、廃棄物が前記廃棄物用入口開口を通して投下されるのに従って、パックから引き出される所定の長さの可撓性チューブから形成され得、また、前記パックは、回転により廃棄物の周りに閉じ込め体を形成するように、本体に対して回転可能であり得る。
【００１１】
本発明に係われば、記廃棄物蓄積バッグは、廃棄物用入口開口を通って延びるように位置された上記廃棄物貯蔵装置での廃棄物の蓄積方法であり、この方法は、蓋を開ける工程と、蓄積バッグ内に廃棄物を位置させる工程と、蓋を閉じる工程とを具備し、蓄積バッグを切断するときには、切断手段は、バッグを切断するように蓋並びにバッグに対して移動され，また、前記蓄積バックは、蓋に配置された前記成形体により、手動によね支持が必要としないで、蓋に対して動かないように支持される方法が提供される。
【００１２】
さらに、本発明に係われば、本体と蓋とを具備し、この本体は、蓄積バッグを受けるように配設された廃棄物用入口を有し、この廃棄物用開口入口は、外方に広がった部分を有し、また、前記蓋は、前記廃棄物用開口入口の外方に広がった部分を囲む閉成位置と開成位置との間で、本体に対して回動される、廃棄物貯蔵装置が提供される。
【００１３】
【発明の実施の形態】
図４ないし８を参照して本発明の実施の形態を詳細に説明する。図１ないし３を参照して説明された実施の形態と共通の部品は、同じ参照符号を付して、必要でないところ以外は、説明を省略する。
【００１４】
装置は、図１ないし３に示されたコンテナーとほぼ同じコンテナー、即ち、本体２１を有し、このコンテナーは、特に、可撓性チューブが引き出され得るパックと、捻られた閉じ部により互いに分離された一連のパッケシージを形成するように回転に対して対象物を保持するばねとを有する。ファンネル１２が、図３を参照して説明したように、パックに着脱可能に装着されている。コンテナー２１は、これの上部と下部とが、廃棄物を取り出すことを可能なように開成され得るように中間で枢支されており、解除可能な留め部８１が、一般の使用のときに、コンテナーが閉成を保ように、好ましくは、設けられている。代わって、このコンテナーは、既知の方法で底が開成するようになされ得る。
【００１５】
装置は、さらに、符号７２で示された剪断機構、即ち、切断装置が装着されている蓋７０を有する。この蓋７０は、適当な形式の枢支機構によりコンテナー２１に枢支されており、この枢支機構により永久的もしくは着脱可能に枢支されている。また、この蓋は、好ましくは、プラスチック材により形成されている。
【００１６】
前記剪断機構７２は、図５ないし９を参照して最も良く理解される。この機構は、リング７４を有する。このリングは、蓋７０に回転可能に装着されており、蓋７０と一体的にモールド成形された円筒フランジ７１内に受け入れられている。また、このリング７４は、蓋７０にスナップ結合により装着されており、所定位置に保持されているが、リング７４から突出した環状突条がフランジ７１に形成された対応する周方向溝に装入されているような、キー溝により回転可能となっている。さらに、このリング７４は、このリングの手動による回転を可能にするように、径方向内方に突出したフインガー片７５を有する。代わって、例えば、図７に示されるように、中心横断バー７７が、手動回転のためにリング７４を横切るように設けられ得る。
【００１７】
このリング７４の下側からは、図３を参照して説明された形式のテーパシューとカッター刃とを有するカッターユニット、即ち、蓄積バック切断手段６１が突設されている。
前記剪断機構は、回転に対して相対的に固定されたリングに配設されたタンパープルーフと捕捉もしくは留め手段７６を有する。図示のこの実施の形態では、この捕捉部７６は、下端部が蓋７０に取着され、上端部から突出した舌部８０を備えた弾性タブ７８を有する。このタブ７８は、蓋７０と一体的にモールド成形させるか、適当な方法で可撓性を有するように装着され得る。また、このタブ７８は、前記リング７４の周囲と係合するように径方向内方に付勢されており、また、リング７４は、舌部８０と係合して、リング７４を回転に対して保持するように、周囲に形成された１もしくは複数の刻み目８２を有する。前記タブ７８は、リング７４から離れる方向に延びた押圧部８４を有する。この押圧部８４が手で押圧されたときに、タブ７８は、リング７４から離れるように外方に弾性的に曲がり、前記舌部８０は刻み目８２との係合を解除し、かくして、リングは、回転され得る。前記捕捉部７６が解放されると、リングは、舌部８０がタブ７８の付勢力のもとで継ぎの刻み目８２へと摺動するまで、回転され得る。
【００１８】
前記蓋７０と剪断機構７２とは、蓋７０がこれの閉成位置へと回動されると、円筒状フランジ７１がテーパ結合のようにしてファンネルの内側と係合するような形態を一般になしており、従って、蓋に対して蓄積バックが動かないように配設された成形体を有している。また、蓋７０は、閉成位置において、ファンネル１２の全体を囲むのに充分なディメンションを有している。そして、蓋７０は、この蓋７０を開くように解除可能な適当な留め手段８１によって閉成位置に維持され得る。この結果、装置の内側の全体は、た、しっかりと、かつ干渉を防ぐ（ダンパープルーフ）方法で閉じられ得る。
【００１９】
動作においては、対象物を装置内に置くことが望まれたときには、図１ないし３を参照して説明したように、蓋７０を、回動により開成し、対象物を、ばね５２と係合した状態で投下し、ファンネル１２を、捻られた閉じ部３０を形成するように、特に、可撓性チューブのコーン形状部を形成するように回転させる。そして、蓋７０を閉じ、フランジ７１を、ファンネル１２の内側と係合するようにロックして、臭気が逃げないように装置をしっかりと閉塞する。可撓性チューブは、フランジ７１とファンネル１２との間で捕らえられて保持され、パッケシージ３５とばね５２との係合によって張られた状態で保持される。
【００２０】
可撓性チューブを切断する場合には、捕捉部７６をおしてリング７４を解放し、リング７４をフインガー片７５に手で力を与えることにより、回転させる。そして、カッターユニットを、図１ないし３を参照して上述したように、動作させて、カッターを可撓性チューブのコーン形状部の襞と係合させ、チューブをナイフエッジに送ってこれを切断する。このときには、フランジ７１は、ファンネルを、かくしてパックを回転に対して保持している。チューブを切断した後には、捕捉部７６を解放し、舌部８０が摺動してリング７４を継ぎの刻み目８２と係合するまで、リング７４を回転させる。
【００２１】
結果として、改良された廃棄物貯蔵システムが提供される。剪断機構が本体に装着された蓋に設けられているので、置き違え（ミスプレス）の恐れがない。この剪断機構の位置決めは、簡単になされる。これは、蓋が、ファンネルの内側に対して周りの円筒状フランジのテーパによ適合により回動して閉じられるのに従って、自動的に位置付けされるためである。また、切断動作の工程数が減じられる。剪断機構の動作は、パック自体を回転に対して手で保持する必要がなく、これは、ケックと係合する固定蓋により自動的ななされるので、簡単である。また、剪断工程は、廃棄物貯蔵装置の内部全体が蓋により閉じられているので、全く衛生的になされる。
【００２２】
図４に示すように、捕捉体８１並びに適当な着脱可能ヒンジ手段（図示せず）により互いに支持された上部８３と下部８５とを有するコンテナー２１に係われば、モジュール形式の廃棄物貯蔵装置が提供される。特に、コンテナー２１の上部８３は、カセット２、ばね５２、蓋７０、並びに剪断機構７２を含む、装置の動作部の全てを有していることがわかるであろう。従って、上部８３が如何なる適当な下部に装着され得ることに係わるモジュール形式で装置を使用することが可能である。例えば、比較的大きい貯蔵形式の下部が、多量の廃棄物を溜めることが必要な商業上の要求のために設けられ得る。代わって、上部８３は、廃棄物を受け入れるための適当な開口を有する動作面に、例えば、接続され得る。
【００２３】
本発明は、例えば、適当な場所に如何なるファンネルが無か、個々のパッケシージ３５を受けるための追加の収集バックを含む国際特許出願Ｎｏ．ＰＣＴ／ＧＢ９７／０２７６８に示されたような機構が無いような形態の異なる廃棄物貯蔵装置に適用され得ることは理解できよう。勿論、カッテングユニットの特別の仕様は、適当に変更し得る。蓋は、必ずしも枢支（ヒンジ留め）されている必要はなく、如何なる他の適当な方法でコンテナーに移動可能に装着し得る。
【図面の簡単な説明】
【図１】  図１は、既知の形式の装置の一部切断側面図である。
【図２】  図２は、他の既知の形式の装置の一部切断側面図である。
【図３】  図３は、既知の形式の切断装置の下面図である。
【図４】  図４は、第１の形態での本発明の実施の形態の側面図である。
【図５】  図５の（ａ）は、動作の第１の段階での図４に示す実施の形態の詳細な一部断面斜視図であり、（Ｂ）は、（Ａ）に対応した部分的斜視図である。
【図６】  図６の（ａ）は、動作の第２の段階での図４に示す実施の形態の詳細な一部断面斜視図であり、（Ｂ）は、（Ａ）に対応した部分的斜視図である。
【図７】  図７は、第２の形態での図４に示す実施の形態の斜視図である。
【図８】  図８は、図７に対応した断面図である。
【図１】
0004132668.tif 000002
【図２】
0004132668.tif 000003
【図３】
0004132668.tif 000004
【図４】
0004132668.tif 000005
【図５】
0004132668.tif 000006
【図６】
0004132668.tif 000007
【図７】
0004132668.tif 000008
【図８】
0004132668.tif 000009